(57)【要約】【課題】  本発明は、簡易な構成によって音声案内を重ねた状態で音楽データを再生することができるようにする。【解決手段】  本発明は、通常曲ＮＧと、当該音楽データに音声案内の音声をミキシングした音声案内付曲ＶＧとを含む音楽ファイルＭＦを記憶する記憶手段と、当該音楽ファイルＭＦを再生する際に当該音声案内を行うか否かをユーザに選択させる選択手段と、当該選択された結果に基づき、当該音声案内を行う場合には当該音楽ファイルＭＦの当該音声案内付曲ＶＧを再生し、当該音声案内を行わない場合には当該音楽ファイルＭＦの当該通常曲ＮＧを再生する再生手段とを設け、当該音楽ファイルＭＦから一つの音楽データを選択し、再生する処理のみを行うため、音声案内を重ねた状態での音楽データの再生、又は音声案内の無い音楽データの再生をすることができ、簡易な構成によって音声案内を重ねた状態で音楽データを再生することができる。【選択図】        図１１
2006295458.tif 000002
【特許請求の範囲】
【請求項１】
音楽データと、上記音楽データに音声案内の音声をミキシングした音声案内付音楽データとを含む音楽ファイルを記憶する記憶手段と、
上記音楽ファイルを再生する際に上記音声案内を行うか否かをユーザに選択させる選択手段と、
上記選択された結果に基づき、上記音声案内を行う場合には上記音楽ファイルの上記音声案内付音楽データを再生し、上記音声案内を行わない場合には上記音楽ファイルの上記音楽データを再生する再生手段と
を具えることを特徴とするオーディオ装置。
【請求項２】
複数の上記音楽ファイルのうち再生する音楽ファイルの指定条件を上記ユーザに選択させる指定条件選択手段と、
を具え、
上記音楽ファイルには、
上記音楽ファイルの指定条件にそれぞれ対応した上記音声案内の音声がミキシングされたそれぞれの上記音声案内付音楽データが含まれ、
上記再生手段は、
上記音声案内を行う場合には、上記ユーザに選択された上記指定条件に応じて、当該指定条件に対応した上記音声案内がミキシングされた上記音声案内付音楽データを再生する
ことを特徴とする請求項１に記載のオーディオ装置。
【請求項３】
上記音声案内付音楽データは、
上記音楽データのうち上記音声案内の音声がミキシングされる部分のみと上記音声案内の音声とがミキシングされてなり、
上記再生手段は、
上記音声案内を行う場合には、上記音楽データを再生すると共に上記音声案内付音楽データに対応する部分のみ上記音声案内付音楽データに切り換えて再生する
ことを特徴とする請求項１に記載のオーディオ装置。
【請求項４】
音楽データと、上記音楽データに音声案内の音声をミキシングした音声案内付音楽データとを含む音楽ファイルを所定の記憶手段から読み出して再生する際に、上記音声案内を行うか否かをユーザに選択させる第１のステップと、
上記選択された結果に基づき、上記音声案内を行う場合には上記音楽ファイルの上記音声案内付音楽データを再生し、上記音声案内を行わない場合には上記音楽ファイルの上記音楽データを再生する第２のステップと
を具えることを特徴とする音楽ファイル再生方法。
【請求項５】
音声ファイルを再生するオーディオ装置に対して、
音楽データと、上記音楽データに音声案内の音声をミキシングした音声案内付音楽データとを含む音楽ファイルを所定の記憶手段から読み出して再生する際に、上記音声案内を行うか否かをユーザに選択させる第１のステップと、
上記選択された結果に基づき、上記音声案内を行う場合には上記音楽ファイルの上記音声案内付音楽データを再生し、上記音楽案内を行わない場合には上記音楽ファイルの上記音楽データを再生する第２のステップと
を実行させることを特徴とする音楽ファイル再生プログラム。
【請求項６】
音楽データと、上記音楽データに音声案内の音声をミキシングした音声案内付音楽データとを含む音楽ファイルを生成する音楽ファイル作成装置と、上記音楽ファイルを再生するオーディオ装置とを有する音声案内システムであって、
上記オーディオ装置は、
上記音楽ファイルを再生する際に上記音声案内を行うか否かをユーザに選択させる選択手段と、
上記選択された結果に基づき、上記音声案内を行う場合には上記音楽ファイルの上記音声案内付音楽データを再生し、上記音声案内を行わない場合には上記音楽ファイルの上記音楽データを再生する再生手段と
を具えることを特徴とする音声案内システム。
【発明の詳細な説明】
【技術分野】
【０００１】
本発明は、オーディオ装置、音楽ファイル再生方法、音楽ファイル再生プログラム及び音声案内システムに関し、例えば携帯型のデジタルオーディオ装置に適用して好適なものである。
【背景技術】
【０００２】
従来、オーディオ装置としては、フラッシュメモリやハードディスク等の内部メモリに記憶させた音楽データを再生するようになされたものがある。このようなオーディオ装置では、パーソナルコンピュータ（以下、これをＰＣと呼ぶ）によって再生する音楽データを選択させ、音楽ファイルとして当該オーディオ装置に転送させることにより、当該音楽ファイルを当該内部メモリに記憶している。
【０００３】
このオーディオ装置においては、内部メモリの記憶容量が大きく、多くの音楽データを記憶することができるため、表示部において文字で音楽データのタイトル等を表示することによってガイドを行い、ユーザに音楽データの選択をさせ易くしたり、音楽データのタイトルを知得させている。
【０００４】
ところで、かかるオーディオ装置においては、携帯性向上のために小型化の要望が強く、表示部も小型化される傾向にある。
【０００５】
そこで、オーディオ装置としては、小さい表示部において効果的に曲タイトルを表示するようになされたものがある（例えば、特許文献１参照）。
【特許文献１】特開平９−３１１６５８号公報
【発明の開示】
【発明が解決しようとする課題】
【０００６】
ここで、かかる構成のオーディオ装置においては、さらなる小型化が要望されている。この小型化を実現するために、表示部を無くしたオーディオ装置が提案されている。しかしながら、ガイドの役割を担っていた表示部を無くすことは、ユーザに対して音楽データの選択やタイトルの知得を困難にさせてしまうという問題が再浮上する。
【０００７】
そこで、表示部によるガイドの代替として、音声によるガイドによって音楽データのタイトル等を案内する音声案内が提案されている。この音声案内においては、音楽データの始まり部分であるイントロ部と音声案内とを重ねた状態で再生させることにより、スムーズに音楽が再生されることが望ましい。
【０００８】
しかしながら、オーディオ装置が音声案内と音楽データの両方を記憶し（図１７）、イントロ部において音声案内と音楽データの両方を同時に再生する（図１８）従来の手法では、ＭＰＵに２つの再生処理を同時に行わせることになる。これによって、処理能力の高いＭＰＵや複数のＭＰＵを使用する必要性が生じる他、これに伴う周辺部品の部品点数の増加や処理能力の向上をしなければならないという問題があった。
【０００９】
本発明は以上の点を考慮してなされたもので、簡易な構成によって音声案内を重ねた状態で音楽データの再生を実現することができるオーディオ装置、音楽ファイル再生方法、音楽ファイル再生プログラム及び音声案内システムを提案しようとするものである。
【課題を解決するための手段】
【００１０】
かかる課題を解決するため本発明のオーディオ装置においては、音楽データと、当該音楽データに音声案内の音声をミキシングした音声案内付音楽データとを含む音楽ファイルを記憶する記憶手段と、当該音楽ファイルを再生する際に当該音声案内を行うか否かをユーザに選択させる選択手段と、当該選択された結果に基づき、当該音声案内を行う場合には当該音楽ファイルの当該音声案内付音楽データを再生し、当該音声案内を行わない場合には当該音楽ファイルの当該音楽データを再生する再生手段とを設けるようにした。
【００１１】
これにより、当該音楽ファイルから一つの音楽データを選択し、再生する処理のみを行うため、音声案内を重ねた状態での音楽データの再生、又は音声案内の無い音楽データの再生をすることができ、簡易な構成によって音声案内を重ねた状態で音楽データを再生することができる。
【００１２】
また本発明の音楽ファイルの再生方法においては、音楽データと、当該音楽データに音声案内の音声をミキシングした音声案内付音楽データとを含む音楽ファイルを所定の記憶手段から読み出して再生する際に、当該音声案内を行うか否かをユーザに選択させる第１のステップと、当該選択された結果に基づき、当該音声案内を行う場合には当該音楽ファイルの当該音声案内付音楽データを再生し、当該音声案内を行わない場合には当該音楽ファイルの当該音楽データを再生する第２のステップとを設けるようにした。
【００１３】
これにより、当該音楽ファイルから一つの音楽データを選択し、再生する処理のみを行うため、音声案内を重ねた状態での音楽データの再生、又は音声案内の無い音楽データの再生をすることができ、簡易な構成によって音声案内を重ねた状態で音楽データを再生することができる。
【００１４】
さらに本発明の音楽ファイルの再生プログラムにおいては、音声ファイルを再生するオーディオ装置に対して、音楽データと、当該音楽データに音声案内の音声をミキシングした音声案内付音楽データとを含む音楽ファイルを所定の記憶手段から読み出して再生する際に、当該音声案内を行うか否かをユーザに選択させる第１のステップと、当該選択された結果に基づき、当該音声案内を行う場合には当該音楽ファイルの当該音声案内付音楽データを再生し、当該音楽案内を行わない場合には当該音楽ファイルの当該音楽データを再生する第２のステップとを設けるようにした。
【００１５】
これにより、当該音楽ファイルから一つの音楽データを選択し、再生する処理のみを行うため、音声案内を重ねた状態での音楽データの再生、又は音声案内の無い音楽データの再生をすることができ、簡易な構成によって音声案内を重ねた状態で音楽データを再生することができる。
【００１６】
さらに本発明の音声案内システムにおいては、音楽データと、当該音楽データに音声案内の音声をミキシングした音声案内付音楽データとを含む音楽ファイルを生成する音楽ファイル作成装置と、当該音楽ファイルを再生するオーディオ装置とを有する音声案内システムであって、当該オーディオ装置は、当該音楽ファイルを再生する際に当該音声案内を行うか否かをユーザに選択させる選択手段と、当該選択された結果に基づき、当該音声案内を行う場合には当該音楽ファイルの当該音声案内付音楽データを再生し、当該音声案内を行わない場合には当該音楽ファイルの当該音楽データを再生する再生手段とを設けるようにした。
【００１７】
これにより、当該音楽ファイルから一つの音楽データを選択し、再生する処理のみを行うため、音声案内を重ねた状態での音楽データの再生、又は音声案内の無い音楽データの再生をすることができ、簡易な構成によって音声案内を重ねた状態で音楽データを再生することができる。
【発明の効果】
【００１８】
本発明によれば、パーソナルコンピュータによって編集された音楽データ及び音声案内付音楽データからなる音楽ファイルを記憶し、当該音楽ファイルから一つの音楽データ選択し、再生する処理のみを行うことにより、簡易な構成で音声案内を重ねた状態での音楽データの再生と、音声案内の無い音楽データの再生をすることができ、かくして簡易な構成によって音声案内を重ねた状態で音楽データを再生することができるオーディオ装置を実現できる。
【発明を実施するための最良の形態】
【００１９】
以下、図面について、本発明の一実施の形態を詳述する。
【００２０】
（１）第１の実施の形態
（１−１）全体構成
図１において、１は全体として本発明の第１の実施の形態による音声案内システムを示し、携帯型のオーディオ装置２と、パーソナルコンピュータ（以下、これをＰＣと呼ぶ）３とによって構成されている。
【００２１】
このＰＣ３は、例えばＣＤ（Compact Disk）等の記憶媒体から読み取ったり、又はインターネット等のネットワークを通じてダウンロードすることにより、例えばＭＰ３（MPEG audio layer3）やＡＴＲＡＣ３（Adaptive Transform Acoustic Coding 3）等の形式でなる音楽データとして、通常の楽曲（以下、これを通常曲と呼ぶ）ＮＧを取得し、ＨＤＤ（Hard Disk Drive）等の内部メモリに記憶する。ＰＣ３は、この通常曲ＮＧの中からオーディオ装置に再生させる音楽データを選択し、音楽ファイルＭＦとしてオーディオ装置２へ転送するようになされている。
【００２２】
一方オーディオ装置２は、ＰＣ３から転送された音楽ファイルＭＦを記憶し、ユーザの選択に応じて音楽ファイルＭＦの中から音楽データを選択し、再生し得るようになされている。
【００２３】
（１−２）ＰＣ３の回路構成
次に、本実施の形態におけるＰＣ３の回路構成について、図２を用いて説明する。
【００２４】
この図２において、ＰＣ３は、ＣＰＵ（Central Processing Unit）構成の制御部１０によって全体を統括制御しており、ＨＤＤ１１やＲＯＭ（Read Only Memory）１２に格納された基本プログラムや各種アプリケーション等をＲＡＭ（Random Access Memory）１３で起動することにより、各種処理を実行するようになされている。
【００２５】
ＬＣＤ（Liquid Crystal Display）でなる表示部１４は、ユーザに対して設定などを選択させるための設定画面等を表示するようになされている。
【００２６】
キーボードやマウスからなる入力部１５は、この表示部１４に表示された設定画面に従ってなされたユーザからの操作指示を制御部１０へ送出するようになされている。
【００２７】
制御部１０は、通信インターフェース１６によってインターネットに接続し、音楽データや音声案内などの情報をダウンロードしたり、ＣＤ−ＲＯＭ（Compact Disc - Read Only Memory）ドライブ１８によってＣＤ等の記憶媒体から音楽データを読み取り、ＨＤＤ１１に記憶する。
【００２８】
また制御部１０は、ＵＳＢインターフェース１７を介してＵＳＢケーブルによってＰＣ３とオーディオ装置２とを接続し、ＨＤＤ１１に記憶された音楽データをＲＡＭ１３に読み出し、当該オーディオ装置２へ転送し得るようになされている。
【００２９】
（１−３）オーディオ装置２の回路構成
次に、本実施の形態におけるオーディオ装置２の回路構成について、図３を用いて説明する。
【００３０】
この図３において、オーディオ装置２は、ＭＰＵ（Micro Processor Unit）３０によって全体を統括制御しており、ＰＲＯＭ（Programmable Read Only Memory）３１に格納された基本プログラムや各種アプリケーション等をＲＡＭ（Random Access Memory）３２で起動することにより、各種処理を実現し得るようになされている。
【００３１】
ＭＰＵ３０はＵＳＢインターフェース３６を介してＰＣ３（図１）から転送された音楽ファイルＭＦを取得すると、ＰＲＯＭ３１に記憶させる。
【００３２】
音声案内（詳しくは後述する）の有無を切り換えるための音声案内機能スイッチ３３Ａやプレイモード切換スイッチ３３Ｂ及び再生ボタン（図示せず）等からなる操作部３３は、ユーザからの操作に基づいた操作指示をＭＰＵ３０へ送出する。
【００３３】
因みにプレイモードとは、多数の音楽データを連続的に再生する際に当該音楽データの再生順序を決める条件が対応付けられたものであり、例えばアルバム順に再生するアルバム順モードや、アーティスト順に再生するアーティスト順モード、ユーザによって指定された再生順序に従って再生するプレイリストモード等がある。
【００３４】
ＭＰＵ３０はこの操作指示に従って音楽データの再生処理を行い、ヘッドフォンインターフェース３７に接続されたヘッドフォン（図示せず）を介してユーザに音楽を聴かせ得るようになされている。
【００３５】
（１−４）音楽ファイルＭＦの転送処理手順
ところで、本実施の形態では図４に示すように、ＰＣ３は音楽ファイルＭＦとして、通常曲ＮＧ及び音声案内付曲ＶＧをオーディオ装置２へ転送するようになされている。この時のＰＣ３におけるオーディオ装置２への音楽ファイルＭＦの転送処理について、図５のフローチャートを用いて説明する。なお、音声案内付曲ＶＧとは、通常曲ＮＧのイントロ部にユーザに曲名等を知得させるための音声案内をミキシングした音楽データのことである。
【００３６】
ＰＣ３の制御部１０は、ユーザによって操作部３３の電源スイッチ（図示せず）がＯＮに切り換えられたことを認識すると、音楽ファイルＭＦの転送処理手順ＲＴ１（図５）の開始ステップから入ってステップＳＰ１へ移る。
【００３７】
ステップＳＰ１において制御部１０は、オーディオ装置２において実行可能な各種設定条件を一覧表示したプロパティ設定画面ＰＳ（図６）を表示部１４に表示させる。ここでプロパティ設定画面ＰＳでは、音声案内を行うか否か、及びどのようなプレイモードの音声案内を使用するのかをユーザに指定させるようになされている。このプロパティ設定画面ＰＳにおいて、例えば当該各種設定条件の左側に設けられたチェックボックスにチェックを入れさせることによりユーザにオーディオ装置２におけるプロパティ設定を選択させ、当該プロパティ設定をＲＡＭ１２に記憶させると、次のステップＳＰ３へ移る。
【００３８】
これにより制御部１０は、このプロパティ設定によって選択されたプレイモードや音声案内のみをオーディオ装置２に実行させ、選択されなかったプレイモード等は実行させないようにし得る。なお、プロパティ設定の項目については、予め登録された項目を使用でき、ユーザの要求に応じて当該項目の追加や削除を行い得るようになされている。
【００３９】
ステップＳＰ２において、制御部１０は、オーディオ装置２に記憶させる音楽データをユーザに選択させると共に、再生順序を指定させ、当該選択結果をＲＡＭ１２に記憶すると、次のステップＳＰ３へ移る。
【００４０】
ステップＳＰ３において、制御部１０は、使用可能な音声案内の種類を一覧表示した音声案内リスト画面ＧＬ（図７）を表示部１４に表示させ、ユーザに対して使用する音声案内を選択させると、当該選択結果をＲＡＭ１２に記憶し、次のステップＳＰ４へ移る。
【００４１】
ここで音声案内としては、ＰＣ３のＨＤＤ１１に予め保有する音声情報に基づいて合成した合成音を使用するようにしてもよく、また音楽データをダウンロードにより取得した際に、当該音楽データに付随されていた音声案内や、インターネット上に公開されている音声案内を使用するようにしてもよい。
【００４２】
例えば制御部１０は、ユーザの使用したい音声案内が当該音声案内リストに存在しない場合には、インターネットを通じて選択された音楽データについての音声案内を検索し、当該検索結果から音声案内をダウンロードすることができる。この場合、制御部１０は、表示部１４によって表示させた音声案内リスト画面ＧＬ（図７）に配置されたインターネット接続ボタンＢＴをユーザに操作させることによって、インターネットに接続し、検索を開始するようになされている。これにより、音楽データの演奏をしたアーティストによって作成された音楽案内等、多様な音声案内を選択し、使用し得る。
【００４３】
ステップＳＰ４において制御部１０は、ステップＳＰ１〜ＳＰ３においてＲＡＭ１２に記憶されたプロパティ設定、音楽データ、及び音声案内等の選択結果に応じて、図８に示すように通常曲ＮＧにおける音楽データの始まり部分（以下、これをイントロ部と呼ぶ）に音声案内をミキシングすることによって、このイントロ部と音声案内とが重なった音楽データである音声案内付曲ＶＧを合成すると、次のステップＳＰ５へ移る。
【００４４】
ステップＳＰ５において、制御部１０は、ユーザの要求に応じて、通常曲ＮＧと音声案内付曲ＶＧからなる音楽ファイルＭＦの転送先としてオーディオ装置２を確認すると、次のステップＳＰ６へ移る。
【００４５】
ステップＳＰ６において、制御部１０は、音楽ファイルＭＦをプロパティ設定等の再生設定情報と共にオーディオ装置２へ送出し、次のステップＳＰ７へ移って音楽ファイルＭＦの転送処理を終了する。この結果、オーディオ装置２のＰＲＯＭ３１に当該音楽ファイルＭＦ及び当該設定情報が記憶される。
【００４６】
これにより、制御部１０は、例えば音楽データのタイトルに関する音声案内とイントロ部とが重なった音声案内付曲ＶＧ、及び通常曲ＮＧの両方をオーディオ装置２に記憶させ得るようになされている。
【００４７】
このようにして制御部１０は、ユーザによって選択されたプロパティ設定、音楽データ及び音声案内に従って、音楽ファイルＭＦを作成する。例えばプロパティ設定で「音楽データのタイトル案内を有効にする」にチェックが入れられていた場合（図６）には、図９に示すように、全ての音楽データである曲Ａ〜曲Ｄについて、音楽データのタイトルに関する音声案内をミキシングした音声案内付曲ＶＧ１〜ＶＧ４を合成する。
【００４８】
また、制御部１０は、ステップＳＰ１のプロパティ設定画面ＰＳ（図６）において選択された各プレイモードにおいて、再生順序が１曲目に当たる音楽データに当該各プレイモードに関する音声案内をミキシングして音声案内付曲ＶＧを作成する。すなわち、通常再生モードでは曲Ａについて音声案内付曲ＶＧ５を、プレイリストモードのプレイリスト１では曲Ｄについて音声案内付曲ＶＧ８を合成する。
【００４９】
さらに制御部１０は、アルバム順モードにおいて、音楽ファイルＭＦが有するアルバム名の情報によって全ての曲Ａ〜Ｄを例えば５０音順やアルファベット順等に従ってアルバム名別に並べ替えを行った場合に、再生順序が１曲目となる曲Ｂについて音声案内付曲ＶＧ６を、同様にアーティスト順モードにおいては曲Ｃについて音声案内付曲ＶＧ７を合成する。
【００５０】
（１−５）音楽データの再生処理手順
次いで、オーディオ装置２において、上述した音楽ファイルＭＦの転送処理手順によってＰＣ３から取得した音楽データの再生処理手順について、図１０のフローチャートを用いて説明する。
【００５１】
オーディオ装置２のＭＰＵ３０は、ユーザによって操作部３３における電源スイッチ（図示せず）がＯＮにされたことを認識すると、音楽データの再生処理手順ＲＴ２の開始ステップから入ってステップＳＰ２１へ移る。
【００５２】
ステップＳＰ２１において、ＭＰＵ３０は、ヘッドフォンインターフェース３７を介して、例えば「電源がＯＮになりました。操作してください。」等のアナウンスによって起動時音声案内を行うと、次のステップＳＰ２２へ移る。
【００５３】
ステップＳＰ２２において、ＭＰＵ３０はプレイモードを起動時設定として指定されている通常再生モードに切り換え、次のステップＳＰ２３へ移る。
【００５４】
ステップＳＰ２３において、ＭＰＵ３０は、音声案内機能スイッチ３３ＡがＯＮになっているか否かを判定する。ここで肯定結果が得られた場合、このことはユーザが音声案内を聞きたいということを意味しており、このときＭＰＵ３０はステップＳＰ２４へ移る。ステップＳＰ２４においてＭＰＵ３０は、音声案内付曲ＶＧを選択して再生すると、ステップＳＰ２３へ移り、音楽ファイルＭＦと共にＰＣ３から取得した再生設定情報に従って、音楽データを順次再生する。
【００５５】
これに対しステップＳＰ２３で否定結果が得られた場合には、これはユーザが音声案内を聞きたくないということを意味しており、このときＭＰＵ３０は、ステップＳＰ３０へ移る。ステップＳＰ３０においてＭＰＵ３０は、通常曲ＮＧを選択して再生すると、ステップＳＰ２３へ移り、再生設定情報に従って、音楽データを順次再生する。
【００５６】
例えば、図１１に示すように、ＭＰＵ３０は、プレイモードとして通常再生モード、音声案内機能ＯＮに設定されていることを確認すると、１曲目の曲Ａとして音声案内付曲ＶＧ１を選択し、再生する。
【００５７】
ここで、曲Ａの再生中にユーザによって音声案内機能スイッチ３３ＡがＯＦＦに切り換えられた場合を想定する。このときＭＰＵ３０は、曲Ａとして音声案内付曲ＶＧを最後まで再生する。
【００５８】
ＭＰＵ３０は、音声案内付曲ＶＧ１の再生が終了すると、音声案内機能がＯＦＦにされていることを認識し、２曲目の曲Ｂとして通常曲ＮＧ２を再生する。
【００５９】
次いでＭＰＵ３０は、通常曲ＮＧ２の再生が終了すると、音声案内機能がＯＦＦにされていることを認識し、３曲目の曲Ｃとして通常曲ＮＧ３を再生する。
【００６０】
すなわちＭＰＵ３０は、曲Ａにおいては音声案内機能がＯＮに設定されているため、曲Ａを再生しながら、例えば「曲Ａを再生しています」との音声案内がイントロ部に重ねられている音声案内付曲ＶＧを再生し、曲Ｂ、曲Ｃにおいては音声案内機能がＯＦＦに設定されているため、音声案内の無い通常曲ＮＧ２、ＮＧ３をそれぞれ再生する。
【００６１】
このようにしてＭＰＵ３０は、ＰＲＯＭ３１に記憶している音声案内付曲ＶＧ又は通常曲ＮＧのいずれかを選択して再生する処理のみによって、音声案内機能ＯＮ／ＯＦＦに応じて、イントロ部において音声案内が重ねられた状態での音楽データの再生又は音声案内の無い音楽データの再生を行い得るようになされている。
【００６２】
（１−６）プレイモードの切換処理手順
オーディオ装置２のＭＰＵ３０は、通常は上述した音楽データの再生処理手順（図９）に従って再生処理を行うが、ユーザによってプレイモード切換スイッチ３３Ｂが操作された場合には、図１２に示すフローチャートに従って、プレイモードの切換処理を行うようになされている。
【００６３】
ＭＰＵ３０は、ユーザによってプレイモード切換スイッチ３３Ｂが操作されたことを認識すると、プレイモードの切換処理手順の開始ステップＲＴ３から入ってステップＳＰ４１へ移る。
【００６４】
ステップＳＰ４１においてＭＰＵ３０は、ユーザによるプレイモードの切換指示に基づき、ＰＣ３によるプロパティ設定（図６）において予め選択された複数のプレイモードのうち１つのプレイモードへ切り換え、次のステップＳＰ４２へ移る。
【００６５】
ステップＳＰ４２において、ＭＰＵ３０は、音声案内機能がＯＮになっているか否かを判定し、肯定結果が得られた場合にはステップＳＰ４３へ移る。このときＭＰＵ３０は、音声案内付曲ＶＧを選択して再生した後ステップＳＰ４２へ移り、再生設定情報に従って音楽データを順次再生する。
【００６６】
これに対し、ステップＳＰ４１で否定結果が得られた場合、ＭＰＵ３０は、ステップＳＰ５０へ移り、通常曲ＮＧを選択して再生すると、ステップＳＰ４２へ移り、設定情報に従って次の音楽データを順次再生する。
【００６７】
例えば図１３に示すように、音声案内機能ＯＦＦ、通常再生モードの設定により、曲Ａとして通常曲ＮＧ１を再生しているＭＰＵ３０は、プレイモードの切換指示を認識すると、プレイモードをアルバム順モードに切換える。ここでＭＰＵ３０は、音声案内機能がＯＮになっていることを認識すると、アルバム順モードで１曲目となるべき曲Ｂとして、音声案内付曲ＶＧ６を選択し、再生する。これによりＭＰＵ３０は、ユーザに例えば曲名に加えて「アルバム順に再生しています」等の音声案内を聴かせることにより、プレイモードに関する音声案内を曲Ｂのイントロ部と同時に聴かせることができる。
【００６８】
次いで、ＭＰＵ３０は、プレイモードの切換指示を認識すると、プレイモードをアーティスト順モードに切換える。そしてＭＰＵ３０は、音声案内機能がＯＮになっていることを認識すると、アーティスト順モードで１曲目となるべき曲Ｃとして、音声案内付曲ＶＧ７を選択し、再生する。これによりＭＰＵ３０は、ユーザに例えば曲名に加えて「アーティスト順に再生しています」等の音声案内を聴かせることにより、プレイモードに関する音声案内を曲Ｃのイントロ部と同時に聴かせることができる。
【００６９】
さらに、ＭＰＵ３０は、プレイモードの切換指示を認識すると、プレイモードをプレイリストモードのプレイリスト１に切換え、音声案内機能がＯＮになっていることを認識すると、当該プレイリスト１で１曲目となるべき曲Ｄとして、音声案内付曲ＶＧ８を選択し、再生する。これによりＭＰＵ３０は、ユーザに例えば曲名に加えて「プレイリスト１を再生しています」等の音声案内を聴かせることにより、プレイモードに関する音声案内を曲Ｄのイントロ部と同時に聴かせることができる。
【００７０】
ＭＰＵ３０は、音声案内付曲ＶＧ８の再生を終了した時点で、音声案内機能がＯＮになっていることを認識した場合、当該プレイリスト１の２曲目となるべき曲Ｂとして、音声案内付曲ＶＧ２を選択して再生する。これによりＭＰＵ３０は、プレイモードを変更しない場合には、２曲目からはプレイモードに関する音声案内をユーザに聴かせることなく曲名のみを聴かせるようになされている。
【００７１】
すなわちＭＰＵ３０は、プレイモード切換指示を認識すると、当該プレイモード切換指示に基づきプレイモードを切換える。そしてＭＰＵ３０は、音声案内機能がＯＮに設定されている場合には、設定されているプレイモードにおいて１曲目となる音楽データとして、プレイモードに関する音声案内が重ねられた音声案内付曲ＶＧを再生し、２曲目以降は音楽データのタイトルに関する音声案内が重ねられた音声案内付曲ＶＧを順次再生する。一方音声案内機能がＯＦＦに設定されている場合には、音声案内の無い音楽データである通常曲ＮＧを順次再生する。
【００７２】
このようにしてＭＰＵ３０は、音声案内機能ＯＮ／ＯＦＦに応じて、ＰＲＯＭ３１に記憶している音楽ファイルＭＦの中からいずれか一つの音楽データを選択して再生する処理のみによって、プレイモード切換時の１曲目においてはプレイモードに関する音声案内を、２曲目からは通常の音声案内をイントロ部と同時に聴かせ得たり、又は音声案内の無い音楽のみを聴かせ得るようになされている。
【００７３】
（１−７）動作及び効果
以上の構成において、本発明における音声案内システム１においては、ＰＣ３によってイントロ部と音声案内をミキシングすることによって合成された音声案内付曲ＶＧ、及び通常曲ＮＧの両方を音楽ファイルＭＦとしてオーディオ装置２に記憶させる。オーディオ装置２は、音声案内機能のＯＮ／ＯＦＦに応じて、当該音楽ファイルＭＦの中から一つの音楽データを選択、再生する処理を行う。
【００７４】
これによりオーディオ装置２は、音声案内機能がＯＮに設定されている時には音声案内付曲ＶＧを再生する処理のみによって音声案内と音楽の両方をユーザに聴かせ得、ユーザに曲名などの情報を知得させることができる。一方オーディオ装置２は、音声案内機能がＯＦＦに設定されている時には音声案内の通常曲ＮＧを再生する処理のみによって音声案内と音楽の両方をユーザに聴かせ得、ガイドを聴きたくないユーザの要望に沿うことができる。このため、オーディオ装置２では、ユーザの好みに応じて音声案内の有無を自在に切り換えることが可能である。
【００７５】
また、オーディオ装置２は、音声案内付曲ＶＧ又は通常曲ＮＧのどちらか一つの音楽データを選択して再生する処理のみを行えば良いため、音声案内の再生処理と、通常曲の再生処理とを同時にする従来の方法と比較して、ＭＰＵ３０が行う再生処理の負荷を格段に減らすことができる。
【００７６】
これによりオーディオ装置２は、音楽データ及び音声案内の２つを同時に再生するためにＭＰＵ３０の処理能力を高くしたり、それに伴う周辺部品における部品点数の増加や処理能力の向上をさせる必要がなく、簡易な構成によって曲のイントロ部と音声案内を重ねた状態で再生することができる。
【００７７】
またオーディオ装置２は、一つの再生処理のみを行えば良いため従来の音声案内機能を有しないオーディオ装置と比較してＭＰＵ３０の処理速度を向上させる必要が無い。これによりオーディオ装置２では、消費電力やＭＰＵ３０の周辺部品への負荷の増大を引き起こすことなく、音声案内機能を付加することが可能となる。またオーディオ装置２は、音声案内機能によって従来の表示部による案内機能を代替し得るため、表示部を省略して構成を簡素化しても良く、この場合当該オーディオ装置２を一段と小型化することが可能となる。
【００７８】
さらにオーディオ装置２では、表示部による文字表示ではなく音声案内によりユーザに対して音楽データのタイトル等の各種情報を知得させ得るため、文字の視認できない視覚障害者等の目の不自由なユーザに対しても当該各種情報を知得させることが可能となる。
【００７９】
以上の構成によれば、オーディオ装置２は、音声案内付曲ＶＧと通常曲ＮＧの中から一つの音楽データを選択して再生する処理のみを行えば良いため、音声案内を重ねた状態の音楽データ、又は音声案内の無い音楽データを選択して再生することにより、簡易な構成で音声案内を重ねた状態で音楽データを再生することができる。
【００８０】
（２）第２の実施の形態
（２−１）構成
本実施の形態においては、基本的な構成は上述した第１の実施の形態と共通であるため、同一部分については説明を省略し、異なる部分においてのみ説明する。
【００８１】
（２−２）音楽ファイルＭＦの転送処理
第１の実施の形態における図８に対応する図１４に示すように、ＰＣ３は、例えば再生時間３００秒間の音楽データにおけるイントロ部に音声案内をミキシングし、当該イントロ部以外の部分を削除した、再生時間３０秒間の音声案内付イントロ部ＩＧを合成する。
【００８２】
このようにしてＰＣ３は、曲Ａ〜曲Ｃについて音声案内付イントロ部ＩＧ２０〜ＩＧ２２を合成すると、この音声案内付イントロ部ＩＧ２０〜ＩＧ２２と、通常曲ＮＧ２０〜ＮＧ２２とを音楽ファイルＭＦとしてオーディオ装置２へ転送する。
【００８３】
この結果オーディオ装置２のＰＲＯＭ３１には、音楽ファイルＭＦとして音声案内付イントロ部ＩＧ２０〜ＩＧ２２と、通常曲ＮＧ２０〜ＮＧ２２が記憶される。
【００８４】
このようにしてＰＣ３は、例えば３０秒のイントロ部を音声案内付イントロ部ＩＧとして転送するため、音声案内付イントロ部ＩＧとして３００秒の曲全部を転送する第１の実施の形態の場合と比較して、再生時間３００秒から３０秒へ、音声案内付イントロ部ＩＧとしてのデータ量を格段に小さくすることが可能となる。
【００８５】
（２−３）音楽データの再生処理手順
次いで、オーディオ装置２において、上述した音楽ファイルＭＦの転送処理によってＰＣ３から取得した音楽データの再生処理手順について、図１５のフローチャートを用いて説明する。
【００８６】
オーディオ装置２のＭＰＵ３０は、ユーザによって操作部３３における電源スイッチ（図示せず）がＯＮにされたことを認識すると、音楽データの再生処理手順ＲＴ４の開始ステップから入り再生処理をする。
【００８７】
ステップＳＰ７１〜ＳＰ７２において、ＭＰＵ３０は第１の実施の形態と同様に起動時音声案内をし、プレイモードを起動時の設定に切り換えると、次のステップＳＰ７３へ移る。
【００８８】
ステップＳＰ７３において、ＭＰＵ３０は、音声案内機能スイッチ３３ＡがＯＮになっているか否かを確認する。ここで肯定結果が得られた場合には、これはユーザが音声案内を聞きたいということを意味しており、ステップＳＰ７４へ移る。このステップＳＰ７４においてＭＰＵ３０は、音声案内付イントロ部ＩＧを選択して再生すると、ステップＳＰ７５へ移る。
【００８９】
ステップＳＰ７５においてＭＰＵ３０は、当該音声案内付イントロ部ＩＧに対応する通常曲ＮＧを選択し、音声案内付イントロ部ＩＧの再生終了と同時かつ連続的に当該通常曲ＮＧにおける当該音声案内付イントロ部ＩＧの終了時点に対応する部分から、再生処理を開始する。ＭＰＵ３０は、通常曲ＮＧの再生を終了すると、ステップＳＰ７３へ移り、再生設定情報に従って、音楽データを順次再生する。
【００９０】
これに対しステップＳＰ７３で否定結果が得られた場合には、これはユーザが音声案内を聞きたくないということを意味しており、ステップＳＰ８０へ移る。このときＭＰＵ３０は、通常曲ＮＧを選択して再生すると、ステップＳＰ７３へ移り、再生設定情報に従って、音楽データを順次再生する。
【００９１】
従って、ＭＰＵ３０は、音声案内機能がＯＮに設定されている場合には音楽ファイルＭＦ（図１６（Ａ））の中から１曲目の曲Ａにおけるイントロ部として、音声案内付イントロ部ＩＧ２０を選択し、再生する（図１６（Ｂ））。
【００９２】
ＭＰＵ３０は、３０秒間である音声案内付イントロ部ＩＧ２０の再生を終了すると、通常曲ＮＧ２０の音声案内付イントロ部ＩＧ２０の終了時点に対応する部分から連続的に再生する。
【００９３】
これによりＭＰＵ３０は、２つの音楽データを切り換えて再生しているにも関わらず、ユーザに対してあたかも１曲を再生しているように曲Ａを聞かせることができる。
【００９４】
次いでＭＰＵ３０は、通常曲ＮＧ２０の再生を終了し、ユーザの音声案内機能スイッチ３３Ａの操作により音声案内機能がＯＦＦに切り換えられていた場合、２曲目の曲Ｂとして通常曲ＮＧ２１を選択して再生する。ＭＰＵ３０は、再生が終了し、引き続き音声案内がＯＦＦになっていることを認識すると、３曲目の曲Ｃとして、通常曲ＮＧ２２を選択し、再生する。
【００９５】
従ってＭＰＵ３０は、音声案内機能がＯＮに設定されている場合には、曲のイントロ部として音声案内付イントロ部ＩＧを再生し、当該イントロ部ＩＧの終了時点から引き続き通常曲ＮＧをシームレスに再生するようになされている。
【００９６】
これによりＭＰＵ３０は、第１の実施の形態と同様に、音声案内付イントロ部ＩＧと通常曲ＮＧの中から音楽データを選択し、一つの再生処理のみを行えば良い。この結果、本実施の形態によるＭＰＵ３０は、データ量の小さな音声案内付イントロ部ＩＧを記憶するのみで、音楽データのイントロ部と音声案内を重ねた状態で再生することができる。
【００９７】
（２−４）動作及び効果
以上の構成において、音声案内システム１においては、ＰＣ３によってイントロ部と音声案内をミキシングすることによって音声案内付イントロ部ＩＧを合成させ、イントロ部のみからなる音声案内付イントロ部ＩＧ、及び通常曲ＮＧの両方を音楽ファイルＭＦとしてオーディオ装置２に記憶させる。
【００９８】
オーディオ装置２は、音声案内機能がＯＮに設定されている場合には、当該音声案内付イントロ部ＩＧをイントロ部として再生する。次いでオーディオ装置２は、音声案内付イントロ部ＩＧの再生を終了すると、通常曲ＮＧをイントロ部終了時点から連続的に再生する。一方で、音声案内機能がＯＦＦに設定されている場合には、当該通常曲ＮＧをイントロ部から最後まで再生する。
【００９９】
これによりオーディオ装置２は、音声案内付イントロ部ＩＧと通常曲ＮＧを連続的に再生することにより、上述した第１の実施の形態と同様に、イントロ部において音声案内を重ねた状態でユーザに聴かせ得るようになされている。
【０１００】
またオーディオ装置２は、音声案内付イントロ部ＩＧの再生終了後に通常曲ＮＧを連続的に再生するため、ユーザに対して音声案内付イントロ部ＩＧ及び通常曲ＮＧの２つの音楽データを再生していると思わせることなく、あたかも１曲の音楽データを再生しているように聞かせることができる。
【０１０１】
さらに音楽案内付イントロ部ＩＧのデータサイズは第１の実施の形態における音声案内付曲ＶＧより格段に小さいので、ＰＲＯＭ３１のメモリ容量を節約することができる。特に、複数種類の音声案内を使用したい場合には、第１の実施の形態では、必要な音声案内の数に応じて音声案内付曲ＶＧを記憶しなければならないが、本実施の形態においてはデータ量の格段に少ない音声案内付イントロ部ＩＧを記憶すれば良く、ＰＲＯＭ３１のメモリ容量を大幅に節約することができる。
【０１０２】
さらにオーディオ装置２は、一つの音声データの再生処理のみによって、音声案内機能がＯＮに設定されている時はユーザに対してイントロ部と音声案内を重ねた状態の音楽データを聴かせ得、音声案内機能がＯＦＦに設定されている時は音声案内の無い音楽データを聴かせ得るため、ユーザの好みに応じて音声案内の有無を自由に切り換えることが可能となる。
【０１０３】
以上の構成によれば、オーディオ装置２は、通常曲ＮＧに加えて小さな音楽データである音声案内付イントロ部ＩＧを記憶し、音声案内付イントロ部ＩＧのイントロ部を再生した後、通常曲ＮＧのイントロ部終了時点から連続的に再生する処理によって、ＰＲＯＭ３１によって大きなデータを記憶する必要なく簡易な構成で、音楽データのイントロ部においてはユーザに対して音声案内を聴かせ得ると共に、ユーザに対して一曲の音楽データを最後までスムーズに聞かせることができる。
【０１０４】
（３）他の実施の形態
なお上述の実施の形態においては、オーディオ装置として携帯タイプのオーディオ装置２を使用するようにした場合について述べたが、本発明はこれに限らず、オーディオ装置として例えばカーオーディオに適用するようにしてもよく、これにより、運転手に対して表示部を視認させることなく音楽データのタイトル等を知得させることができ、安全運転を遂行させることが可能となる。
【０１０５】
また上述の実施の形態においては、オーディオ装置２は、音楽データのタイトル及びプレイモードについての音声案内をするようにした場合について述べたが、本発明はこれに限らず、例えば音楽ファイルＭＦに付随しているダウンロード又はリリース日時等の情報を利用して予め、新着曲に対して新着曲であることの音声案内をするようにし、一定時間経過後には当該新着に関する音声案内曲ＶＧを選択しない若しくは自動消去することによって再生させずに済むようにすることができる。
【０１０６】
これにより、オーディオ装置２は、リリース日から所定期間は新着曲に対してその旨の音声案内を入れ、当該所定期間の経過に伴い、もはや新着ではなくなった曲に対して新着に関する音声案内をしないようにすることができる。
【０１０７】
また上述の実施の形態においては、オーディオ装置２は、ＰＣ３によってイントロ部に音声案内がミキシングされた音声案内付曲ＶＧを再生するようにした場合について述べたが、本発明はこれに限らず、音楽データのエンド部分や途中部分に音声案内をミキシングした音声案内付曲ＶＧを再生するようにしても良い。
【０１０８】
さらに上述の実施の形態においては、オーディオ装置２のＭＰＵ３０が、予めＰＲＯＭ３１に記憶された音声案内システム１の実行プログラムに従って、再生処理手順ＲＴ２（図１０）を実行するようにした場合について述べたが、本発明はこれに限らず、例えば当該音声案内システム１の実行プログラムをＣＤ-ＲＯＭ等の記憶媒体からインストールしたり、インターネット等のネットワークを通じてダウンロードすることによって上述の再生処理手順ＲＴ２を実行するようにしても良い。
【０１０９】
さらに上述の実施の形態においては、音楽ファイルＭＦをオーディオ装置２の内部メモリであるＰＲＯＭ３１に記憶させるようにした場合について述べたが、本発明はこれに限らず、内部メモリに代えてハードディスクドライブを使用したり、或いはメモリースティック（登録商標）及び光ディスク等の交換可能な外部記憶媒体に音楽ファイルＭＦを保存するようにしても良い。
【０１１０】
さらに上述の実施の形態においては、ＰＣ３によって作成された音楽ファイルＭＦをオーディオ装置２によって再生するようにした場合について述べたが、本発明はこれに限らず、ＰＣ３に音楽ファイルを保存し、ＰＣ３の再生機能やＰＣ３に接続されたオーディオ装置によって当該音楽ファイルＭＦを再生するようにしても良い。
【０１１１】
さらに上述の実施の形態においては、オーディオ装置２が、ＵＳＢインターフェース３６及びＰＣ３のＵＳＢインターフェース１７を介してＵＳＢケーブルによって当該ＰＣ３と接続されるようにした場合について述べたが、本発明はこれに限らず、オーディオ装置２が例えばBluetooth（登録商標）等の方式により、無線によってＰＣ３と接続を行うようにしても良い。また、オーディオ装置２は、例えばクレードル等の接続を仲介する装置を介してＰＣ３と接続されるようにしても良い。この場合、オーディオ装置２とクレードル間及びクレードルとＰＣ３間においては、有線及び無線のいずれの方式によって接続されても良い。
【０１１２】
さらに上述の実施の形態においては、記憶手段としてのＰＲＯＭ３１と、選択手段としての音声機能スイッチ３３Ａと、再生手段としてのＭＰＵ３０とによってオーディオ装置を構成する場合について述べたが、本発明はこれに限らず、その他種々の回路構成でなる記憶手段と、選択手段と、再生手段によってオーディオ装置を構成するようにしても良い。
【産業上の利用可能性】
【０１１３】
本発明は、例えば音楽データを再生する携帯型のオーディオ装置に適用することができる。
【図面の簡単な説明】
【０１１４】
【図１】音声案内システムの全体構成を示す略線的斜視図である。
【図２】パーソナルコンピュータの回路構成を示す略線的ブロック図である。
【図３】オーディオ装置の回路構成を示す略線的ブロック図である。
【図４】パーソナルコンピュータの処理内容の説明に供する略線図である。
【図５】音楽ファイルの転送処理手順を示すフローチャートである。
【図６】プロパティ設定画面を示す略線図である。
【図７】音楽案内リスト表示画面を示す略線図である。
【図８】ＰＣによる音声案内付曲の合成の説明に供する略線図である。
【図９】ＰＣにおける音楽データの合成の説明に供する略線図である。
【図１０】第１の実施の形態における音楽データの再生処理手順を示すフローチャートである。
【図１１】第１の実施の形態におけるオーディオ装置の処理を示す略線図である。
【図１２】オーディオ装置におけるプレイモード切換の手順の説明に供するフローチャートである。
【図１３】プレイモード切換時の音声案内の説明に供する略線図である。
【図１４】第２の実施の形態におけるＰＣによる音声案内付曲の合成の説明に供する略線図である。
【図１５】第２の実施の形態における再生処理手順を示す略線図である。
【図１６】第２の実施の形態におけるオーディオ装置の処理の説明に供する略線図である。
【図１７】従来の音声案内システムにおける音楽データの転送の説明に供する略線図である。
【図１８】従来の音声案内におけるオーディオ装置の処理内容の説明に供する略線図である。
【符号の説明】
【０１１５】
１……音声案内システム、２……オーディオ装置、３……ＰＣ、４……クレードル、１０……制御部、１１……ＨＤＤ、１７……通信インターフェース、３０……ＭＰＵ、３１……ＰＲＯＭ、３２……ＲＡＭ、３３……操作部、４０……マイクロコンピュータ、４１……ＵＳＢインターフェース、４２……オーディオ装置インターフェース。
【図１】
2006295458.tif 000003
【図２】
2006295458.tif 000004
【図３】
2006295458.tif 000005
【図４】
2006295458.tif 000006
【図５】
2006295458.tif 000007
【図６】
2006295458.tif 000008
【図７】
2006295458.tif 000009
【図８】
2006295458.tif 000010
【図９】
2006295458.tif 000011
【図１０】
2006295458.tif 000012
【図１１】
2006295458.tif 000013
【図１２】
2006295458.tif 000014
【図１３】
2006295458.tif 000015
【図１４】
2006295458.tif 000016
【図１５】
2006295458.tif 000017
【図１６】
2006295458.tif 000018
【図１７】
2006295458.tif 000019
【図１８】
2006295458.tif 000020